(57)【特許請求の範囲】
【請求項１】
羽根車を駆動回転可能に支持し、かつ前部に取り付け用のフランジ部を有するモータと、
前記羽根車を内部に収容するケーシングに取り付けられ、または前記ケーシングの一部を構成するように設けられ、かつ前記モータが外面部に取り付けられる取り付け板部と、
前記取り付け板部への前記モータの取り付け手段として、前記モータの前記フランジ部に設けられた突起部が前記取り付け板部に設けられた孔部に挿通してカシメ加工が施されたカシメ部と、
を備えている、送風装置であって、
前記モータの前記フランジ部として、互いに重なり合った第１および第２のフランジ部を備え、かつ前記第２のフランジ部には、前記突起部が前記第１のフランジ部側とは反対側に突出して設けられているとともに、前記突起部は、前記第１のフランジ部側に開口する凹部を内部に有する構成とされており、
前記第１のフランジ部のうち、前記凹部に対向する箇所が、前記凹部内に押し込まれていることにより、前記カシメ部として、前記突起部が前記孔部の内周面およびその周縁に圧接して係合したカシメ部を備えていることを特徴とする、送風装置。
【請求項２】
請求項１に記載の送風装置であって、
前記モータは、前面開口部を有し、かつ第１のフランジ部が連設されたモータケース本体と、前記第１のフランジ部の前面側に重なった第２のフランジ部を有し、かつ前記前面開口部を塞ぐように前記モータケース本体に取り付けられたカバー板と、を備えており、
前記カシメ部を構成する前記突起部は、前記第１および第２のフランジ部のうち、前記第２のフランジ部のみに設けられている、送風装置。
【請求項３】
請求項１または２に記載の送風装置であって、
前記ケーシングは、このケーシング内に前記羽根車を収容する際にこの羽根車を通過可能とする開口部が設けられた側板部を有しており、
前記取り付け板部は、前記モータとともに前記開口部の全体または略全体を塞ぐように前記側板部に取り付けられている、送風装置。
【請求項４】
請求項１ないし３のいずれかに記載の送風装置であって、
前記取り付け板部は、前記羽根車とは対向しない箇所において前記ケーシングにビス止めされており、
前記取り付け板部から前記ケーシング内への前記カシメ部の突出寸法は、前記ビス止めにおける前記ケーシング内へのビス突出寸法よりも小さくされている、送風装置。
【請求項５】
バーナと、このバーナに燃焼用空気を供給するための送風装置と、前記バーナによって発生された燃焼ガスを利用して湯水加熱を行なうための熱交換器と、を備えている、給湯装置であって、
前記送風装置として、請求項１ないし４のいずれかに記載の送風装置が用いられていることを特徴とする、給湯装置。
【発明の詳細な説明】
【技術分野】
【０００１】
本発明は、たとえば遠心型送風装置など、ケーシング内に収容された羽根車をモータにより支持して回転させるタイプの送風装置、およびこれを備えた給湯装置に関する。
【背景技術】
【０００２】
給湯装置などの構成要素として利用される送風装置の一例として、特許文献１に記載のものがある。
同文献に記載された送風装置においては、羽根車を駆動回転可能に支持するモータが、羽根車を内部に収容するケーシングの取り付け板部にビス止めされている。
【０００３】
しかしながら、前記従来技術においては、次に述べるように、改善すべき余地がある。
第１に、モータの取り付けに際し、複数箇所のビス止め作業が煩雑である。このため、組み立て作業性がさほど良好であるとは言えない。
第２に、ケーシングに対するモータの取り付け状態を強固かつ信頼性のおけるものとする上では、ビスとして、ある程度以上の長さをもつものを用いる必要がある。このため、ビスの先端部側は、取り付け板部からケーシング内に比較的長い寸法で突出することとなる。その結果、ビス止め箇所が羽根車に対向する箇所である場合には、ビスと羽根車とが互いに干渉しないように、羽根車をビスおよび取り付け板部から離間させる必要があり、羽根車と取り付け板部との隙間の幅を大きくせざるを得なくなる。ところが、このように前記した隙間の幅を大きくすると、送風装置の送風効率が低くなる。
【先行技術文献】
【特許文献】
【０００４】
【特許文献１】特開２００６−１７０５７号公報
【発明の概要】
【発明が解決しようとする課題】
【０００５】
本発明は、前記したような事情のもとで考え出されたものであり、モータの組み付け作業を容易かつ廉価に行なうことができ、かつ送風効率も高めることが可能な送風装置、およびこれを備えた給湯装置を提供することを、その課題としている。
【課題を解決するための手段】
【０００６】
上記の課題を解決するため、本発明では、次の技術的手段を講じている。
【０００７】
本発明の第１の側面により提供される送風装置は、羽根車を駆動回転可能に支持し、かつ前部に取り付け用のフランジ部を有するモータと、前記羽根車を内部に収容するケーシングに取り付けられ、または前記ケーシングの一部を構成するように設けられ、かつ前記モータが外面部に取り付けられる取り付け板部と、前記取り付け板部への前記モータの取り付け手段として、前記モータの前記フランジ部に設けられた突起部が前記取り付け板部に設けられた孔部に挿通してカシメ加工が施されたカシメ部と、を備えている、送風装置であって、前記モータの前記フランジ部として、互いに重なり合った第１および第２のフランジ部を備え、かつ前記第２のフランジ部には、前記突起部が前記第１のフランジ部側とは反対側に突出して設けられているとともに、前記突起部は、前記第１のフランジ部側に開口する凹部を内部に有する構成とされており、前記第１のフランジ部のうち、前記凹部に対向する箇所が、前記孔部内に押し込まれていることにより、前記カシメ部として、前記突起部が前記孔部の内周面およびその周縁に圧接して係合したカシメ部を備えていることを特徴としている。
【０００８】
このような構成によれば、次のような構成が得られる。
第１に、取り付け板部へのモータの取り付けに際し、煩雑なビス止め作業は不要となる。カシメ部は、モータのフランジ部に設けられた突起部を利用して形成されているため、ビスのような別部品も不要となる。したがって、製造作業の容易化や、部品点数の削減により、送風装置の製造コストを従来よりも低減することが可能となる。
第２に、カシメ部を用いた取り付け手段は、ビス止め手段とは異なり、取り付け板部の内側に大きな寸法で突出させなくてもモータの確実な取り付け固定を図ることが可能であり、ケーシングの内側へのカシメ部の突出寸法を小さくすることができる。このため、カシメ部が羽根車に対向する部位に設けられている場合であっても、羽根車とカシメ部との干渉を回避すべく羽根車をカシメ部や取り付け板部から大きな寸法で離間させる必要はなく、羽根車と取り付け板部との隙間の幅を小さく設定することができる。このことにより、従来よりも送風効率を高めることが可能となる。
【０００９】
本発明において、好ましくは、前記モータは、前面開口部を有し、かつ第１のフランジ部が連設されたモータケース本体と、前記第１のフランジ部の前面側に重なった第２のフランジ部を有し、かつ前記前面開口部を塞ぐように前記モータケース本体に取り付けられたカバー板と、を備えており、前記カシメ部を構成する前記突起部は、前記第１および第２のフランジ部のうち、前記第２のフランジ部のみに設けられている。
【００１０】
このような構成によれば、モータが具備する第１および第２のフランジ部のうち、取り付け板部に直接当接する側の第２のフランジ部のみを効率良く、かつ合理的に利用したかたちで、モータの取り付けを適切に図ることができる。
【００１１】
本発明において、好ましくは、前記ケーシングは、このケーシング内に前記羽根車を収容する際にこの羽根車を通過可能とする開口部が設けられた側板部を有しており、前記取り付け板部は、前記モータとともに前記開口部の全体または略全体を塞ぐように前記側板部に取り付けられている。
【００１２】
このような構成によれば、羽根車として、モータよりも大径のものを用いることが容易に実現でき、小サイズのモータを用いつつ、多くの送風量が得られるように設計するのに好適となる。
【００１３】
本発明において、好ましくは、前記取り付け板部は、前記羽根車とは対向しない箇所において前記ケーシングにビス止めされており、前記取り付け板部から前記ケーシング内への前記カシメ部の突出寸法は、前記ビス止めにおける前記ケーシング内へのビス突出寸法よりも小さくされている。
【００１４】
このような構成によれば、カシメ部と羽根車との干渉などを回避する上で、より好ましいものとなる。
【００１５】
本発明の第２の側面により提供される給湯装置は、バーナと、このバーナに燃焼用空気を供給するための送風装置と、前記バーナによって発生された燃焼ガスを利用して湯水加熱を行なうための熱交換器と、を備えている、給湯装置であって、前記送風装置として、本発明の第１の側面により提供される送風装置が用いられていることを特徴としている。
【００１６】
このような構成によれば、本発明の第１の側面により提供される送風装置について述べたのと同様な効果が得られる。
【００１７】
本発明のその他の特徴および利点は、添付図面を参照して以下に行なう発明の実施の形態の説明から、より明らかになるであろう。
【図面の簡単な説明】
【００１８】
【図１】（ａ）は、送風装置の一例を示す背面図であり、（ｂ）は、（ａ）のIb−Ib線断面図である。
【図２】図１（ｂ）の分解断面図である。
【図３】（ａ）〜（ｃ）は、図１および図２で設けられているカシメ部の形成工程の一例を示す要部断面図である。
【図４】（ａ），（ｂ）は、本発明において適用されるカシメ部の形成工程の例を示す要部断面図である。
【図５】本発明に係る給湯装置の一例を示す概略説明図である。
【発明を実施するための形態】
【００１９】
以下、本発明の好ましい実施の形態について、図面を参照して具体的に説明する。
【００２０】
図１および図２に示す送風装置Ａは、シロッコ型であり、羽根車１、この羽根車１を内部に収容するケーシング２、羽根車１を支持して駆動回転させることが可能なように羽根車１が取り付けられる駆動軸３０を前部に有するモータ３、およびこのモータ３の取り付けに用いられる取り付け板部４を備えている。この取り付け板部４へのモータ３の取り付けは、複数のカシメ部３３を利用して行なわれている。
【００２１】
ケーシング２は、羽根車１の外周囲を囲む本体部２０、この本体部２０の両側に組み付けられた一対の側板部２１，２２を有する他、吸気口２３、送風口２４、および一方の側板部２１に設けられた羽根車通過用の開口部２１ａを有している。この開口部２１ａは、送風装置Ａの組み立て作業に際し、羽根車１をケーシング２内に収容する際に、羽根車１を通過可能とする部位であり、羽根車１よりも大径である。
【００２２】
モータ３は、駆動軸３０を回転させるための電磁コイルやその他の主要機器を内部に収容する前面開口状のモータケース本体３４と、このモータケース本体３４の前面開口部３４ｂを塞ぐようにモータケース本体３４の前面側に接合されたカバー板３５とを有している。モータケース本体３４の前部には、第１のフランジ部３４ａが連設され、かつカバー板３５の外周縁寄り領域は、第１のフランジ部３４ａの前面側に重なった第２のフランジ部３５ａとなっている。
【００２３】
複数のカシメ部３３は、突起部３６を利用して構成されている。突起部３６は、図２および図３（ａ）に示すように、モータ３の第２のフランジ部３５ａの一部分が突出した部位であり、第２のフランジ部３５ａが第１のフランジ部３４ａに重ね合わされていない段階で、第２のフランジ部３５ａにプレス加工を施すことにより形成された部位である。この突起部３６は、図３（ｂ）に示すように、取り付け板部４に設けられた孔部４０に挿通されてから、同図（ｃ）に示すように、その先端部にカシメ加工（この場合には、押し潰し加工）が施される。このことにより、カシメ部３３が形成され、このカシメ部３３を介して取り付け板部４へのモータ３の取り付け固定が図られる。取り付け板部４には、モータ３の駆動軸３０およびその近傍の凸状部３０ａとの干渉を回避するための開口部４１が設けられている。
【００２４】
取り付け板部４は、羽根車１よりも大径に形成されており、この取り付け板部４の外周縁部は、ケーシング２の側板部２１に複数のビス５を用いて取り付けられている。各ビス５は、羽根車１には対向しない配置である。これに対し、各カシメ部３３は、羽根車１に対向する配置である。カシメ部３３の取り付け板部４からケーシング２内への突出寸法Ｌａは、ビス５の側板部２１からケーシング２内への突出寸法Ｌｂよりも小さくされている。
【００２５】
前記した送風装置Ａは、たとえば図５に示すような給湯装置ＷＨの構成要素として用いられる。
同図に示す給湯装置ＷＨは、バーナ８と、このバーナ８によって発生された燃焼ガスを利用して湯水加熱を行なう熱交換器９とを備えており、送風装置Ａは、バーナ８に対して燃焼用空気を供給可能に設けられている。
【００２６】
次に、前記した送風装置Ａの作用について説明する。
【００２７】
まず、取り付け板部４へのモータ３の取り付けは、カシメ部３３を利用して行なわれているため、煩雑なビス止め作業が不要である。カシメ部３３は、モータ３の第２のフランジ部３５ａを加工して設けられた突起部３６を利用して形成されているため、カシメ部３３を形成するための別部品も不要である。したがって、製造作業の容易化や、部品点数の削減による製造コスト低減を図ることができる。本実施形態では、モータ３の第１および第２のフランジ部３４ａ，３５ａのうち、第２のフランジ部３５ａのみにカシメ部３３を構成する突起部３６を設けているため、たとえば第１および第２のフランジ部３４ａ，３５ａの双方に突起部を設けるような場合と比較すると、その加工は容易であり、合理的である。
【００２８】
カシメ部３３のケーシング２内への突出寸法Ｌａは、小さくされている。このため、カシメ部３３と羽根車１との干渉を回避することを目的として、取り付け板部４と羽根車１との隙間６の幅Ｌｃを大きくする必要はない。送風装置Ａにおいては、隙間６の幅Ｌｃが大きいほど、送風効率が低下するが、本実施形態によれば、幅Ｌｃを小さくし、送風効率をよくすることが可能である（ただし、図１（ｂ）では、構造を解り易くするため、幅Ｌｃはさほど小さい寸法には示されていない）。また、幅Ｌｃを小さくすれば、ケーシング２の全体の薄型化をも図ることが可能となる。
【００２９】
図４は、本発明において適用される、取り付け板部４へのモータ３の取り付けを図るためのカシメ部の形成工程の例を示している。
まず、図４（ａ）に示す構成は、先の図３（ｂ）に示した構成と同様であり、第２のフランジ部３５ａに形成された突起部３６は、取り付け板部４の孔部４０に挿通されている。その後は、同図（ｂ）に示すように、第１のフランジ部３４ａの外面部のうち、突起部３６の背後に相当する箇所を、突起部３６側に向けてプレスし、突起部３６の凹部３６ａ内に押し込む。このことにより、突起部３６は、その直径が拡大し、孔部４０の内周面およびその周縁に圧接して係合したカシメ部３３Ａが形成される。
このような構成のカシメ部３３Ａによれば、突起部３６へのカシメ加工を、第１のフランジ部３４ａ側から行なうことができるが、この方向は、突起部３６を孔部４０に挿通する方向と一致する。このため、取り付け板部４へのモータ３の取り付け作業を、一方向から効率的に行なうことが可能となる。
【００３０】
本発明は、上述した実施形態の内容に限定されない。本発明に係る送風装置、および給湯装置の各部の具体的な構成は、本発明の意図する範囲内において種々に設計変更自在である。
【００３１】
上述の実施形態においては、モータの取り付け対象となる取り付け板部は、羽根車を収容するケーシングの側板部に取り付けられる部材とされているが、本発明はこれに限定されない。本発明における取り付け板部は、ケーシングの一部を構成する部材として構成されていてもよい。すなわち、本発明においては、たとえば特許文献１の図３と同様に、モータをケーシングの側板部に直接取り付けた構成を採用することが可能であり、この場合には、モータが直接取り付けられた側板部が、本発明でいう取り付け板部に相当することとなる。
本発明に係る送風装置は、シロッコ型に限らない。したがって、羽根車やケーシングなどの具体的な形状なども限定されない。
【符号の説明】
【００３２】
Ａ  送風装置
ＷＨ  給湯装置
１  羽根車
２  ケーシング
２１ａ  開口部（羽根車通過用）
３  モータ
３３，３３Ａ    カシメ部
３４  モータケース本体
３４ａ  第１のフランジ部
３５  カバー板
３５ａ  第２のフランジ部（フランジ部）
３６  突起部
４  取り付け板部
４０  孔部
８  バーナ
９  熱交換器
【図１】
0006657908.tif 000002
【図２】
0006657908.tif 000003
【図３】
0006657908.tif 000004
【図４】
0006657908.tif 000005
【図５】
0006657908.tif 000006